(57)【要約】【課題】  小型化及び高画質化を図る。【解決手段】  光路上に少なくとも１枚のレンズ２が配置され、フィルム状の樹脂材料によって形成された第１の赤外線吸収フィルター３と赤外線吸収作用を有する多層膜４とフィルム状の樹脂材料によって形成された第２の赤外線吸収フィルター５とが前記光路上において物体側から像側へ順に配置され、多層膜が分光特性の調整機能と反射特性を有するようにした。  また、第１の赤外線吸収フィルターと多層膜と第２の赤外線吸収フィルターの透過率や反射率に関する所定の条件式を満足するように構成した。【選択図】  図１
2011075984.tif 000002
【特許請求の範囲】
【請求項１】
光路上に少なくとも１枚のレンズが配置され、
フィルム状の樹脂材料によって形成された第１の赤外線吸収フィルターと赤外線吸収作用を有する多層膜とフィルム状の樹脂材料によって形成された第２の赤外線吸収フィルターとが前記光路上において物体側から像側へ順に配置され、
前記多層膜が分光特性の調整機能と反射特性を有し、
以下の条件式（１）乃至条件式（４）を満足するようにした
撮像光学系。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【請求項２】
以下の条件式（５）を満足するようにした
請求項１に記載の撮像光学系。
（５）０.８５＜λ５／λ６ 
但し、
λ５：第１の赤外線吸収フィルターと多層膜と第２の赤外線吸収フィルターの合成における波長４５０ｎｍ以下の光の透過率が８０％になる波長の値
λ６：第１の赤外線吸収フィルターと多層膜と第２の赤外線吸収フィルターの合成における波長４５０ｎｍ以下の光の透過率が２０％になる波長の値
とする。
【請求項３】
前記第１の赤外線吸収フィルターと前記第２の赤外線吸収フィルターの光軸方向における厚みをそれぞれ１０μｍ以上１２０μｍ以下とした
請求項１に記載の撮像光学系。
【請求項４】
前記多層膜をガラス基板上に形成した
請求項１に記載の撮像光学系。
【請求項５】
前記多層膜を前記第１の赤外線吸収フィルター上又は前記第２の赤外線吸収フィルター上に形成した
請求項１に記載の撮像光学系。
【請求項６】
前記第１の赤外線吸収フィルターと前記多層膜の間又は前記多層膜と前記第２の赤外線吸収フィルターの間の少なくとも一方に空気層を形成した
請求項１に記載の撮像光学系。
【請求項７】
前記第１の赤外線吸収フィルターと前記多層膜と前記第２の赤外線吸収フィルターを光軸方向において密着させた
請求項１に記載の撮像光学系。
【請求項８】
前記第１の赤外線吸収フィルターと前記多層膜と前記第２の赤外線吸収フィルターを前記光路上における最も像側に配置されたレンズと撮像素子の間に配置した
請求項１に記載の撮像光学系。
【請求項９】
前記第１の赤外線吸収フィルターと前記第２の赤外線吸収フィルターの基材を環状オレフィン系樹脂により形成した
請求項１に記載の撮像光学系。
【請求項１０】
前記第１の赤外線吸収フィルターと前記第２の赤外線吸収フィルターの基材に赤外線吸収作用を有する着色剤を含有させ、
前記着色剤として少なくとも一種類の有機系色素を用いた
請求項１に記載の撮像光学系。
【請求項１１】
撮像光学系によって形成された光学像を電気的信号に変換する撮像素子を備え、
前記撮像光学系が、
光路上に少なくとも１枚のレンズが配置され、
フィルム状の樹脂材料によって形成された第１の赤外線吸収フィルターと赤外線吸収作用を有する多層膜とフィルム状の樹脂材料によって形成された第２の赤外線吸収フィルターとが前記光路上において物体側から像側へ順に配置され、
前記多層膜が分光特性の調整作用と反射特性を有し、
以下の条件式（１）乃至条件式（４）を満足するようにした
撮像装置。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【発明の詳細な説明】
【技術分野】
【０００１】
本発明は撮像光学系及び撮像装置に関する。詳しくは、撮像素子に入射する光の分光特性を光路内に配置された第１の赤外線吸収フィルターと多層膜と第２の赤外線吸収フィルターによって調整し高画質化等を図る技術分野に関する。
【背景技術】
【０００２】
近年、デジタルビデオカメラやデジタルスチルカメラ等の撮像装置の高画質化と小型化の要求が高まっている。この要求に応えるために、撮像装置に用いられる固体撮像素子として、高密度ＣＣＤ（Charge Coupled Device）や高密度ＣＭＯＳ（Complementary Metal-Oxide Semiconductor）を用いた上で、撮像光学系を小型化する等の手段が提案されている。
【０００３】
上記のような固体撮像素子を用いた撮像装置において、高画質化を図るために撮像光学系の高解像度化を実現している技術が多く知られている。
【０００４】
ところが、高画質化を実現するためには、高解像度化とは別の手段として、画像や映像の良好な色再現性を確保することも非常に重要である。
【０００５】
撮像装置には、一般に、レンズ等とともに撮像光学系を構成する赤外線吸収フィルター等の光学フィルターが光路上に配置されている（例えば、特許文献１参照）。従って、理想的な色再現性を実現するためには、赤外線吸収フィルター等の光学フィルターの分光特性の適正な調整を行う必要がある。
【０００６】
また、撮像光学系やレンズユニットの小型化に伴い、レンズユニットを構成する光学部材や撮像光学系を構成する多層膜等の各部材で光が反射して迷光となり、撮像素子に迷光が入射されることにより色再現性の低下を生じ易くなっている。
【０００７】
従って、高画質化と小型化の両立を図るためには、上記した迷光の発生を抑制して撮像素子に入射される迷光を低減することが重要である。
【０００８】
【特許文献１】特開２００６−２２０８７３号公報
【発明の開示】
【発明が解決しようとする課題】
【０００９】
ところが、従来においては、小型化を図り迷光の発生を抑制して高画質化を実現することが十分に行われていなかった。
【００１０】
そこで、本発明撮像光学系及び撮像装置は、上記した問題点を克服し、小型化及び高画質化を図ることを課題とする。
【課題を解決するための手段】
【００１１】
撮像光学系は、上記した課題を解決するために、光路上に少なくとも１枚のレンズが配置され、フィルム状の樹脂材料によって形成された第１の赤外線吸収フィルターと赤外線吸収作用を有する多層膜とフィルム状の樹脂材料によって形成された第２の赤外線吸収フィルターとが前記光路上において物体側から像側へ順に配置され、前記多層膜が分光特性の調整機能と反射特性を有し、以下の条件式（１）乃至条件式（４）を満足するようにしたものである。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【００１２】
従って、撮像光学系にあっては、第１の赤外線吸収フィルターと多層膜と第２の赤外線吸収フィルターによって画像及び映像の生成に有害な光の成分が吸収されて有害な光の成分の撮像素子への入射が低減される。
【００１３】
上記した撮像光学系においては、以下の条件式（５）を満足することが望ましい。
（５）０.８５＜λ５／λ６ 
但し、
λ５：第１の赤外線吸収フィルターと多層膜と第２の赤外線吸収フィルターの合成における波長４５０ｎｍ以下の光の透過率が８０％になる波長の値
λ６：第１の赤外線吸収フィルターと多層膜と第２の赤外線吸収フィルターの合成における波長４５０ｎｍ以下の光の透過率が２０％になる波長の値
とする。
【００１４】
条件式（５）を満足することにより、紫外線吸収作用により短波長側の有害な反射光の発生が抑制される。
【００１５】
上記した撮像光学系においては、前記第１の赤外線吸収フィルターと前記第２の赤外線吸収フィルターの光軸方向における厚みをそれぞれ１０μｍ以上１２０μｍ以下とすることが望ましい。
【００１６】
第１の赤外線吸収フィルターと第２の赤外線吸収フィルターの光軸方向における厚みをそれぞれ１０μｍ以上１２０μｍ以下とすることにより、光路の短縮化及び第１の赤外線吸収フィルターと第２の赤外線吸収フィルターの配置スペースの低減が図られる。
【００１７】
上記した撮像光学系においては、前記多層膜をガラス基板上に形成することが望ましい。
【００１８】
多層膜をガラス基板上に形成することにより、多層膜の線膨張係数とガラス基板の線膨張係数の差が小さい。
【００１９】
上記した撮像光学系においては、前記多層膜を前記第１の赤外線吸収フィルター上又は前記第２の赤外線吸収フィルター上に形成することが望ましい。
【００２０】
多層膜を第１の赤外線吸収フィルター上又は第２の赤外線吸収フィルター上に形成することにより、多層膜を形成するためのガラス基板が不要となる。
【００２１】
上記した撮像光学系においては、前記第１の赤外線吸収フィルターと前記多層膜の間又は前記多層膜と前記第２の赤外線吸収フィルターの間の少なくとも一方に空気層を形成することが望ましい。
【００２２】
第１の赤外線吸収フィルターと多層膜の間又は多層膜と第２の赤外線吸収フィルターの間の少なくとも一方に空気層を形成することにより、第１の赤外線吸収フィルター又は第２の赤外線吸収フィルターの膨張又は収縮が抑制される。
【００２３】
上記した撮像光学系においては、前記第１の赤外線吸収フィルターと前記多層膜と前記第２の赤外線吸収フィルターを光軸方向において密着させることが望ましい。
【００２４】
第１の赤外線吸収フィルターと多層膜と第２の赤外線吸収フィルターを光軸方向において密着させることにより、第１の赤外線吸収フィルターと多層膜の間及び多層膜と第２の赤外線吸収フィルターの間に空気層が存在しなくなる。
【００２５】
上記した撮像光学系においては、前記第１の赤外線吸収フィルターと前記多層膜と前記第２の赤外線吸収フィルターを前記光路上における最も像側に配置されたレンズと撮像素子の間に配置することが望ましい。
【００２６】
第１の赤外線吸収フィルターと多層膜と第２の赤外線吸収フィルターを光路上における最も像側に配置されたレンズと撮像素子の間に配置することにより、第１の赤外線吸収フィルターと多層膜と第２の赤外線吸収フィルターの面精度により発生する収差の画質への影響が低減される。
【００２７】
上記した撮像光学系においては、前記第１の赤外線吸収フィルターと前記第２の赤外線吸収フィルターの基材を環状オレフィン系樹脂により形成することが望ましい。
【００２８】
第１の赤外線吸収フィルターと第２の赤外線吸収フィルターの基材を環状オレフィン系樹脂により形成することにより、第１の赤外線吸収フィルターと第２の赤外線吸収フィルターが環状オレフィン系樹脂の特性を有する。
【００２９】
上記した撮像光学系においては、前記第１の赤外線吸収フィルターと前記第２の赤外線吸収フィルターの基材に赤外線吸収作用を有する着色剤を含有させ、前記着色剤として少なくとも一種類の有機系色素を用いることが望ましい。
【００３０】
第１の赤外線吸収フィルターと第２の赤外線吸収フィルターの基材に赤外線吸収作用を有する着色剤を含有させ、着色剤として少なくとも一種類の有機系色素を用いることにより、着色剤への無機系色素の使用量を低減することが可能となる。
【００３１】
撮像装置は、上記した課題を解決するために、撮像光学系によって形成された光学像を電気的信号に変換する撮像素子を備え、前記撮像光学系が、光路上に少なくとも１枚のレンズが配置され、フィルム状の樹脂材料によって形成された第１の赤外線吸収フィルターと赤外線吸収作用を有する多層膜とフィルム状の樹脂材料によって形成された第２の赤外線吸収フィルターとが前記光路上において物体側から像側へ順に配置され、前記多層膜が分光特性の調整機能と反射特性を有し、以下の条件式（１）乃至条件式（４）を満足するようにしたものである。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【００３２】
従って、撮像光学系にあっては、第１の赤外線吸収フィルターと多層膜と第２の赤外線吸収フィルターによって画像及び映像の生成に有害な光の成分が吸収されて有害な光の成分の撮像素子への入射が低減される。
【発明の効果】
【００３３】
本発明撮像光学系は、光路上に少なくとも１枚のレンズが配置され、フィルム状の樹脂材料によって形成された第１の赤外線吸収フィルターと赤外線吸収作用を有する多層膜とフィルム状の樹脂材料によって形成された第２の赤外線吸収フィルターとが前記光路上において物体側から像側へ順に配置され、前記多層膜が分光特性の調整機能と反射特性を有し、以下の条件式（１）乃至条件式（４）を満足するようにしている。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【００３４】
従って、第１の赤外線吸収フィルターと多層膜と第２の赤外線吸収フィルターによって画像及び映像の生成に有害な光の成分が吸収されて有害な光の成分の撮像素子への入射が低減され、小型化及び高画質化を図ることができる。
【００３５】
請求項２に記載した発明にあっては、以下の条件式（５）を満足するようにしている。
（５）０.８５＜λ５／λ６ 
但し、
λ５：第１の赤外線吸収フィルターと多層膜と第２の赤外線吸収フィルターの合成における波長４５０ｎｍ以下の光の透過率が８０％になる波長の値
λ６：第１の赤外線吸収フィルターと多層膜と第２の赤外線吸収フィルターの合成における波長４５０ｎｍ以下の光の透過率が２０％になる波長の値
とする。
【００３６】
従って、紫外線吸収作用により短波長側の有害な反射光の発生を抑制することが可能となり、高画質化を図ることができる。
【００３７】
請求項３に記載した発明にあっては、前記第１の赤外線吸収フィルターと前記第２の赤外線吸収フィルターの光軸方向における厚みをそれぞれ１０μｍ以上１２０μｍ以下としている。
【００３８】
従って、撮像光学系の小型化を図ることができる。
【００３９】
請求項４に記載した発明にあっては、前記多層膜をガラス基板上に形成している。
【００４０】
従って、多層膜の線膨張係数に対してガラス基板の線膨張係数が近いため、撮像光学系が備えられる撮像装置の使用時における温度に起因する多層膜の破損等を防止することができる。
【００４１】
請求項５に記載した発明にあっては、前記多層膜を前記第１の赤外線吸収フィルター上又は前記第２の赤外線吸収フィルター上に形成している。
【００４２】
従って、多層膜を形成するためのガラス基板が不要となり、小型化を図ることができる。
【００４３】
請求項６に記載した発明にあっては、前記第１の赤外線吸収フィルターと前記多層膜の間又は前記多層膜と前記第２の赤外線吸収フィルターの間の少なくとも一方に空気層を形成している。
【００４４】
従って、第１の赤外線吸収フィルター又は第２の赤外線吸収フィルター自体の線膨張係数による劣化を抑制することができる。
【００４５】
請求項７に記載した発明にあっては、前記第１の赤外線吸収フィルターと前記多層膜と前記第２の赤外線吸収フィルターを光軸方向において密着させている。  従って、一層の小型化を図ることができる。
【００４６】
請求項８に記載した発明にあっては、前記第１の赤外線吸収フィルターと前記多層膜と前記第２の赤外線吸収フィルターを前記光路上における最も像側に配置されたレンズと撮像素子の間に配置している。
【００４７】
従って、第１の赤外線吸収フィルターと多層膜と第２の赤外線吸収フィルターの面精度により発生する収差の画質への影響が低減され、第１の赤外線吸収フィルターと多層膜と第２の赤外線吸収フィルターを保持する構造の成形精度の高精度化を必要としなくなる。
【００４８】
請求項９に記載した発明にあっては、前記第１の赤外線吸収フィルターと前記第２の赤外線吸収フィルターの基材を環状オレフィン系樹脂により形成している。
【００４９】
従って、高い透過率と撮像光学系の使用時における温度に対する適正な線膨張係数と低い複屈折性能を有することが可能となる
請求項１０に記載した発明にあっては、前記第１の赤外線吸収フィルターと前記第２の赤外線吸収フィルターの基材に赤外線吸収作用を有する着色剤を含有させ、前記着色剤として少なくとも一種類の有機系色素を用いている。
【００５０】
従って、無機系色素の使用量を低減することが可能となり、粒子の大きさによるフレアの発生等の画質の劣化を抑制することができる。
【００５１】
本発明撮像装置は、撮像光学系によって形成された光学像を電気的信号に変換する撮像素子を備え、前記撮像光学系が、光路上に少なくとも１枚のレンズが配置され、フィルム状の樹脂材料によって形成された第１の赤外線吸収フィルターと赤外線吸収作用を有する多層膜とフィルム状の樹脂材料によって形成された第２の赤外線吸収フィルターとが前記光路上において物体側から像側へ順に配置され、前記多層膜が分光特性の調整機能と反射特性を有し、以下の条件式（１）乃至条件式（４）を満足するようにしている。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【００５２】
従って、第１の赤外線吸収フィルターと多層膜と第２の赤外線吸収フィルターによって画像及び映像の生成に有害な光の成分が吸収されて有害な光の成分の撮像素子への入射が低減され、小型化及び高画質化を図ることができる。
【発明を実施するための最良の形態】
【００５３】
以下に、本発明撮像光学系及び撮像装置を実施するための最良の形態について説明する。
【００５４】
［本発明の概念］
以下に、本発明の概念について説明する（図１及び図２参照）。
【００５５】
撮像光学系１は光路上に配置された複数のレンズ２、２、・・・と第１の赤外線吸収フィルター３と多層膜４と第２の赤外線吸収フィルター５とを有している（図１参照）。
【００５６】
光路上の最も像側にはＣＣＤやＣＭＯＳ等の撮像素子６が配置されている。
【００５７】
レンズ２、２、・・・は単体又は複数の集合によって複数のレンズ群を構成している。
【００５８】
第１の赤外線吸収フィルター３と多層膜４と第２の赤外線吸収フィルター５は、例えば、レンズ２、２、・・・の像側において、物体側から像側へ順に配置されている。第１の赤外線吸収フィルター３と第２の赤外線吸収フィルター５はフィルム状の樹脂材料によって形成されている。多層膜４は赤外線吸収作用を有し、分光特性の調整機能と反射特性をも有している。
【００５９】
上記のような構成において、被写体７で反射された光束Ｓ０が撮像光学系１に入射されると、入射された光束Ｓ０はレンズ２、２、・・・を透過されて第１の赤外線吸収フィルター３に入射され該第１の赤外線吸収フィルター３を透過されて透過光束Ｓ１として多層膜４へ向かう。光束Ｓ０が第１の赤外線吸収フィルター３を透過されるときには、光束Ｓ０に含まれる画像及び映像の生成に有害な光の成分の少なくとも一部が第１の赤外線吸収フィルター３によって吸収される。
【００６０】
第１の赤外線吸収フィルター３を透過された透過光束Ｓ１は多層膜４に入射され、該多層膜４を透過される透過光束Ｓ２と多層膜４で反射される反射光束Ｓ３とに分離される。透過光束Ｓ１が多層膜４を透過されるときには、透過光束Ｓ１に含まれる画像及び映像の生成に有害な光の成分の少なくとも一部が多層膜４によって吸収される。
【００６１】
透過光束Ｓ２は第２の赤外線吸収フィルター５に入射され該第２の赤外線吸収フィルター５を透過されて透過光束Ｓ４として撮像素子６に入射される。透過光束Ｓ２が第２の赤外線吸収フィルター５を透過されるときには、透過光束Ｓ２に含まれる画像及び映像の生成に有害な光の成分の少なくとも一部が第２の赤外線吸収フィルター５によって吸収される。
【００６２】
多層膜４で反射された反射光束Ｓ３は再び第１の赤外線吸収フィルター３に入射され該第１の赤外線吸収フィルター３を透過されて透過光束Ｓ５としてレンズ２、２、・・・側へ向かう。反射光束Ｓ３が第１の赤外線吸収フィルター３を透過されるときには、反射光束Ｓ３に含まれる画像及び映像の生成に有害な光の成分の少なくとも一部が第１の赤外線吸収フィルター３によって吸収される。
【００６３】
透過光束５はレンズ２、２、・・・で反射され反射光束Ｓ６として再び第１の赤外線吸収フィルター３に入射される。反射光束Ｓ６が第１の赤外線吸収フィルター３を透過されるときには、反射光束Ｓ６に含まれる画像及び映像の生成に有害な光の成分の少なくとも一部が第１の赤外線吸収フィルター３によって吸収される。
【００６４】
第１の赤外線吸収フィルター３を透過された透過光束Ｓ７は再び多層膜４へ向かい、上記と同様にして、透過と反射が行われ、画像及び映像の生成に有害な光の成分が第１の赤外線吸収フィルター３、多層膜４又は第２の赤外線吸収フィルター５によって吸収される。
【００６５】
一方、第２の赤外線吸収フィルター５を透過されて撮像素子６に入射された透過光束Ｓ４においても、一部が撮像素子６で反射されて反射光束Ｓ８として第２の赤外線吸収フィルター５へ向かう（図２参照）。
【００６６】
撮像素子６で反射された反射光束Ｓ８は再び第２の赤外線吸収フィルター５に入射され該第２の赤外線吸収フィルター５を透過されて透過光束Ｓ９として多層膜４へ向かう。反射光束Ｓ８が第２の赤外線吸収フィルター５を透過されるときには、反射光束Ｓ８に含まれる画像及び映像の生成に有害な光の成分の少なくとも一部が第２の赤外線吸収フィルター５によって吸収される。
【００６７】
透過光束Ｓ９は多層膜４を透過される透過光束Ｓ１０と多層膜４で反射される反射光束Ｓ１１とに分離される。透過光束Ｓ９が多層膜４を透過されるときには、透過光束Ｓ９に含まれる画像及び映像の生成に有害な光の成分の少なくとも一部が多層膜４によって吸収される。
【００６８】
透過光束Ｓ１０は上記した反射光束Ｓ３と同様に第１の赤外線吸収フィルター３へ向かう。
【００６９】
反射光束Ｓ１１は再び第２の赤外線吸収フィルター５に入射され該第２の赤外線吸収フィルター５を透過されて透過光束Ｓ１２として撮像素子６へ向かう。反射光束Ｓ１１が第２の赤外線吸収フィルター５を透過されるときには、反射光束Ｓ１１に含まれる画像及び映像の生成に有害な光の成分の少なくとも一部が第２の赤外線吸収フィルター５によって吸収される。
【００７０】
撮像素子６へ向かった透過光束Ｓ１２は、上記と同様にして、入射と反射が行われ、画像及び映像の生成に有害な光の成分が第１の赤外線吸収フィルター３、多層膜４又は第２の赤外線吸収フィルター５によって吸収される。
【００７１】
本発明は、上記のように、第１の赤外線吸収フィルター３、多層膜４及び第２の赤外線吸収フィルター５によって画像及び映像の生成に有害な光の成分を吸収するように構成されている。本発明は、このとき画像及び映像の生成に必要な光の成分が第１の赤外線吸収フィルター３、多層膜４及び第２の赤外線吸収フィルター５によって吸収されることなく撮像素子６に入射されるように分光特性の調整の最適化を図るようにしている。
【００７２】
［赤外線吸収フィルター等の構成例］
以下に、第１の赤外線吸収フィルター３、多層膜４及び第２の赤外線吸収フィルター５の構成例について説明する（図３乃至図６参照）。
【００７３】
第１の赤外線吸収フィルター３及び第２の赤外線吸収フィルター５はそれぞれフィルム状の樹脂材料によって形成されている。
【００７４】
多層膜４は、例えば、Ｔｉ、Ｓｉ、Ｎｂ、Ｔａ、Ｌａ等の酸化金属によって形成され所定の機能を有する多数の機能層が積層されて構成されている。尚、図３乃至図６には、多層膜４については機能層を簡略化して図示し、以下には、赤外線吸収層と紫外線吸収層のみを機能層の例として示す。
【００７５】
図３に、第１の赤外線吸収フィルター３、多層膜４及び第２の赤外線吸収フィルター５の第１の構成例を示す。
【００７６】
多層膜４はガラス基板８の一方の面８ａに機能層として赤外線吸収層９と紫外線吸収層１０が積層されて形成されている。尚、一方の面８ａは物体側を向く面であってもよく、像側を向く面であってもよい。また、赤外線吸収層９と紫外線吸収層１０は何れが物体側と像側に形成されていてもよい。
【００７７】
第１の赤外線吸収フィルター３と多層膜４の間には第１の空気層１１が形成され、多層膜４と第２の赤外線吸収フィルター５の間には第２の空気層１２が形成されている。
【００７８】
図４に、第１の赤外線吸収フィルター３、多層膜４及び第２の赤外線吸収フィルター５の第２の構成例を示す。
【００７９】
多層膜４はガラス基板８の一方の面８ａと他方の面８ｂに機能層として赤外線吸収層９と紫外線吸収層１０がそれぞれ形成されている。尚、赤外線吸収層９と紫外線吸収層１０はそれぞれ他方の面８ｂと一方の面８ａに形成されていてもよい。
【００８０】
第１の赤外線吸収フィルター３と多層膜４の間には第１の空気層１１が形成され、多層膜４と第２の赤外線吸収フィルター５の間には第２の空気層１２が形成されている。
【００８１】
上記した第１の構成例及び第２の構成例のように、多層膜４をガラス基板８上に形成することにより、多層膜４を構成する機能層の線膨張係数に対して基板（ガラス基板８）の線膨張係数を近付けることが可能となる。従って、撮像光学系１が備えられる撮像装置の使用時における温度に起因する多層膜４の破損等を防止することができる。
【００８２】
図５に、第１の赤外線吸収フィルター３、多層膜４及び第２の赤外線吸収フィルター５の第３の構成例を示す。
【００８３】
多層膜４は第１の赤外線吸収フィルター３の一方の面（像側の面）３ａに赤外線吸収層９と紫外線吸収層１０が積層されて形成されている。尚、多層膜４は第２の赤外線吸収フィルター５の第１の赤外線吸収フィルター３に対向する側の面（物体側の面）に赤外線吸収層９と紫外線吸収層１０が積層されて形成されていてもよい。また、赤外線吸収層９と紫外線吸収層１０は何れが物体側と像側に形成されていてもよい。
【００８４】
多層膜４と第２の赤外線吸収フィルター５の間には空気層１３が形成されている。尚、多層膜４が第２の赤外線吸収フィルター５の第１の赤外線吸収フィルター３に対向する側の面に積層されて形成されている場合には、第１の赤外線吸収フィルター３と多層膜４の間に空気層１３が形成される。
【００８５】
尚、第１の赤外線吸収フィルター３、多層膜４及び第２の赤外線吸収フィルター５の第１の構成例乃至第３の構成例において、空気層１１、１２、１３の厚み（光軸方向における距離）は必要に応じて変更することが可能である。
【００８６】
上記した第３の構成例のように、多層膜４を第１の赤外線吸収フィルター３上又は第２の赤外線吸収フィルター５上に形成することにより、ガラス基板８が不要となり、小型化を図ることができる。
【００８７】
また、上記した第１の構成例乃至第３の構成例のように、第１の赤外線吸収フィルター３と多層膜４の間又は多層膜４と第２の赤外線吸収フィルター５の間の少なくとも一方に空気層１１、１２、１３を形成することにより、第１の赤外線吸収フィルター３又は第２の赤外線吸収フィルター５自体の線膨張係数による劣化を抑制することができる。
【００８８】
図６に、第１の赤外線吸収フィルター３、多層膜４及び第２の赤外線吸収フィルター５の第４の構成例を示す。
【００８９】
多層膜４は第１の赤外線吸収フィルター３と第２の赤外線吸収フィルター５の間に密着された状態で赤外線吸収層９と紫外線吸収層１０が積層されて形成されている。従って、空気層は第１の赤外線吸収フィルター３と多層膜４の間にも多層膜４と第２の赤外線吸収フィルター５の間にも存在しない。
【００９０】
上記した第４の構成例のように、第１の赤外線吸収フィルター３と多層膜４と第２の赤外線吸収フィルター５を光軸方向において密着させることにより、一層の小型化を図ることができる。
【００９１】
［撮像光学系の構成］
本発明撮像光学系は、光路上に少なくとも１枚のレンズが配置され、フィルム状の樹脂材料によって形成された第１の赤外線吸収フィルターと赤外線吸収作用を有する多層膜とフィルム状の樹脂材料によって形成された第２の赤外線吸収フィルターとが光路上において物体側から像側へ順に配置され、多層膜が分光特性の調整機能と反射特性を有している。
【００９２】
このように撮像光学系を構成することにより、上記したように、第１の赤外線吸収フィルター、多層膜及び第２の赤外線吸収フィルターによって画像及び映像の生成に有害な光の成分が吸収され、撮像素子に画像及び映像の生成に必要な光の成分が入射される。
【００９３】
本発明撮像光学系は、以下の条件式（１）乃至条件式（４）を満足するようにされている。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【００９４】
条件式（１）は、多層膜の両面における反射率のバランスを規定する式である。また、条件式（２）は第１の赤外線吸収フィルターと第２の赤外線吸収フィルターの吸収率のバランスを規定する式である。
【００９５】
条件式（１）又は条件式（２）の何れかの上限を超えると、多層膜で第１の赤外線吸収フィルター側に反射した光のうち波長６８０乃至７８０ｎｍ付近の有害な近赤外光の光量が増えてしまう。
【００９６】
逆に、条件式（１）又は条件式（２）の何れかの下限を超えると、多層膜で第２の赤外線吸収フィルター側に反射した光のうち波長６８０乃至７８０ｎｍ付近の有害な近赤外光の光量が増えてしまう。
【００９７】
このように条件式（１）又は条件式（２）の何れかの上限又は下限を超えることにより、多層膜の物体側と像側における有害な近赤外光の光量のバランスが崩れ、迷光が強調されて画質の劣化が生じてしまう。
【００９８】
従って、撮像光学系が条件式（１）及び条件式（２）を満足することにより、多層膜の物体側と像側における有害な近赤外光の光量のバランスが均衡し、画質の向上を図ることができる。
【００９９】
条件式（３）は、波長７００ｎｍ乃至７２５ｎｍの光の第１の赤外線吸収フィルターと第２の赤外線吸収フィルターの合成における平均透過率と多層膜の平均透過率との関係を規定する式である。尚、第１の赤外線吸収フィルターと第２の赤外線吸収フィルターの合成における光の平均透過率とは、第１の赤外線吸収フィルターと第２の赤外線吸収フィルターの双方を透過したときの光の平均透過率である。
【０１００】
条件式（３）の上限を超えると、多層膜で反射される波長７００ｎｍ乃至７２５ｎｍの有害な光を第１の赤外線吸収フィルターで吸収することが困難となり、撮像素子に入射する有害な光の光量を低減することができなくなる。
【０１０１】
従って、撮像光学系が条件式（３）を満足することにより、多層膜で反射される波長７００ｎｍ乃至７２５ｎｍの有害な光の第１の赤外線吸収フィルターでの吸収量を増加させることができ、撮像素子に入射する有害な光を低減することができる。
【０１０２】
条件式（４）は、第１の赤外線吸収フィルターと多層膜と第２の赤外線吸収フィルターの合成における透過率に関する式である。尚、第１の赤外線吸収フィルターと多層膜と第２の赤外線吸収フィルターの合成における光の透過率とは、第１の赤外線吸収フィルターと多層膜と第２の赤外線吸収フィルターの全てを透過したときの光の透過率である。
【０１０３】
条件式（４）の上限をＴ４の値が低くなることにより超えると、波長５４０ｎｍ乃至７００ｎｍの必要な光量を十分に確保することが困難となってしまう。
【０１０４】
一方、条件式（４）の上限をＴ３の値が高くなることにより超えると、有害な近赤外光の光量が増えて迷光が強調され画質が劣化してしまう。このとき撮像素子の信号処理による調整等によって画質の劣化を補正しようとすると、目視では認識できない赤外領域の光が強調されてしまい、最適な色再現性を確保することが困難となってしまう。
【０１０５】
従って、撮像光学系が条件式（４）を満足することにより、波長５４０ｎｍ乃至７００ｎｍの必要な光量を十分に確保することができると共に有害な近赤外光の光量を低減することができ、高画質化を図ることができる。
【０１０６】
以上に記載した通り、本発明撮像光学系にあっては、第１の赤外線吸収フィルターと第２の赤外線吸収フィルターの間に分光特性の調整機能を有する多層膜を配置し、条件式（１）乃至条件式（４）を満足するようにされている。
【０１０７】
従って、第１の赤外線吸収フィルターと多層膜と第２の赤外線吸収フィルターによって画像及び映像の生成に有害な光の成分が吸収されて有害な光の成分の撮像素子への入射が低減され、高画質化を図ることができる。
【０１０８】
また、画像及び映像の生成に有害な光の成分は第１の赤外線吸収フィルターと第２の赤外線吸収フィルターの物体側及び像側に配置される部品によって分光特性や輝度が異なる。
【０１０９】
従って、これらの部品による有害な光の成分の分光特性や輝度に応じて第１の赤外線吸収フィルターと第２の赤外線吸収フィルターの分光特性を定めることにより、分光特性の最適化を図ることが可能となる。
【０１１０】
さらに、第１の赤外線吸収フィルターと多層膜と第２の赤外線吸収フィルターは合成における特性として波長４００ｎｍ乃至１２００ｎｍに吸収特性と反射特性を有しているため、撮像素子に入射する光の分光強度バランス、例えば、青色領域、緑色領域、赤色領域の光強度バランスを最適に調整することが可能となる。
【０１１１】
従って、画像及び映像のホワイトバランス調整や色再現を良好に行うことが可能となる上、過度な電気的色調整を行うことによる色ノイズの発生も除去することが可能となり、画像及び映像における色調整を最適化する透過光特性を確保することが可能となる。
【０１１２】
尚、撮像光学系及びこれを備えた撮像装置の小型化を図ろうとしたときには、入射光線の透過率（反射率）が所定の波長領域で急激に変化したり、撮像素子に入射する迷光が増加し易くなる。
【０１１３】
しかしながら、このような小型化を図ったときにおいても、条件式（１）乃至条件式（４）を満足するように撮像光学系を構成することにより、迷光の増加を効果的に抑制することができると共に画像及び映像の色再現性の向上をも図ることが可能となるため、画質の大幅な向上を図ることができる。
【０１１４】
本発明の一実施形態による撮像光学系にあっては、以下の条件式（５）を満足することが望ましい。
（５）０.８５＜λ５／λ６ 
但し、
λ５：第１の赤外線吸収フィルターと多層膜と第２の赤外線吸収フィルターの合成における波長４５０ｎｍ以下の光の透過率が８０％になる波長の値
λ６：第１の赤外線吸収フィルターと多層膜と第２の赤外線吸収フィルターの合成における波長４５０ｎｍ以下の光の透過率が２０％になる波長の値
とする。
【０１１５】
条件式（５）は、多層膜の短波長側の分光波形の傾斜角度を規定する式である。
【０１１６】
条件式（５）の下限を超えると、短波長側における反射率が高くなるため、有害な反射光が増え画質の劣化を生じてしまう。
【０１１７】
従って、撮像光学系が条件式（５）を満足することにより、紫外線吸収作用により短波長側の有害な反射光の発生を抑制することが可能となり、高画質化を図ることができる。
【０１１８】
本発明の一実施形態による撮像光学系にあっては、第１の赤外線吸収フィルターと第２の赤外線吸収フィルターの光軸方向における厚みをそれぞれ１０μｍ以上１２０μｍ以下とすることが望ましい。
【０１１９】
第１の赤外線吸収フィルターと第２の赤外線吸収フィルターの光軸方向における厚みをそれぞれ１０μｍ以上１２０μｍ以下とすることにより、撮像光学系の小型化を図ることが可能となる。特に、低照度撮影時に赤外線吸収作用を有する光学フィルターを出し入れするような撮像光学系においては、軽量化による可動部の重量を低減することが可能となる。
【０１２０】
また、第１の赤外線吸収フィルターと第２の赤外線吸収フィルターの厚みをそれぞれ１０μｍ以上にすることにより、第１の赤外線吸収フィルターと第２の赤外線吸収フィルターを平面の状態で安定して保持することができる。
【０１２１】
本発明の一実施形態による撮像光学系にあっては、第１の赤外線吸収フィルターと多層膜と第２の赤外線吸収フィルターを光路上における最も像側に配置されたレンズと撮像素子の間に配置することが望ましい。
【０１２２】
第１の赤外線吸収フィルターと多層膜と第２の赤外線吸収フィルターを最も像側に配置されたレンズと撮像素子の間に配置することにより、第１の赤外線吸収フィルターと多層膜と第２の赤外線吸収フィルターの面精度により発生する収差の画質への影響を低減することが可能となる。従って、第１の赤外線吸収フィルターと多層膜と第２の赤外線吸収フィルターを保持する構造の成形精度の高精度化を必要としなくなる。
【０１２３】
本発明の一実施形態による撮像光学系にあっては、第１の赤外線吸収フィルターと第２の赤外線吸収フィルターの基材を環状オレフィン系樹脂により形成することが望ましい。
【０１２４】
第１の赤外線吸収フィルターと第２の赤外線吸収フィルターの基材を環状オレフィン系樹脂により形成することにより、高い透過率と撮像光学系の使用時における温度に対する適正な線膨張係数と低い複屈折性能を有することが可能となる。
【０１２５】
本発明の一実施形態による撮像光学系にあっては、第１の赤外線吸収フィルターと第２の赤外線吸収フィルターの基材に赤外線吸収作用を有する着色剤を含有させ、該着色剤として少なくとも一種類の有機系色素を用いることが望ましい。
【０１２６】
着色剤として少なくとも一種類の有機系色素を用いることにより、無機系色素の使用量を低減することが可能となり、粒子の大きさによるフレアの発生等の画質の劣化を抑制することができる。
【０１２７】
［撮像光学系の数値実施例］
以下に、本発明撮像光学系の具体的な実施の形態について、表及び図面を参照して説明する。
【０１２８】
表１に、第１の実施の形態、第２の実施の形態及び第３の実施の形態に係る撮像光学系Ａ、撮像光学系Ｂ及び撮像光学系Ｃにおける上記条件式（１）乃至条件式（５）の各値を示す。
【０１２９】
【表１】
2011075984.tif 000003
【０１３０】
表１から明らかなように、撮像光学系Ａ、撮像光学系Ｂ及び撮像光学系Ｃは何れも条件式（１）乃至条件式（５）を満足するようにされている。
【０１３１】
図７乃至図１０は、撮像光学系Ａにおける分光透過特性を示すグラフ図である。図７は第１の赤外線吸収フィルターの透過率を示し、図８は第２の赤外線吸収フィルターの透過率を示し、図９は多層膜の透過率を示し、図１０は第１の赤外線吸収フィルターと多層膜と第２の赤外線吸収フィルターの合成における透過率を示している。
【０１３２】
撮像光学系Ａにあっては、図７及び図８に示す第１の赤外線吸収フィルターと第２の赤外線吸収フィルターの近赤外領域における透過率がこれより短波長側の透過率に比して低くされており、近赤外領域における光の良好な吸収作用を有している。また、図９に示す多層膜の透過率において波長６５０ｎｍ乃至７００ｎｍの領域の透過率が急激に変化し、図１０に示す合成の透過率において波長５５０ｎｍ乃至７００ｎｍの領域の透過率が緩やかに変化している。
【０１３３】
従って、画像及び映像の生成に有害な近赤外領域の光の成分が吸収されて有害な光の成分の撮像素子への入射が低減されると共に画像及び映像の生成に必要な光の成分が撮像素子に入射され、高画質化を図ることができる。
【０１３４】
図１１乃至図１４は、撮像光学系Ｂにおける分光透過特性を示すグラフ図である。図１１は第１の赤外線吸収フィルターの透過率を示し、図１２は第２の赤外線吸収フィルターの透過率を示し、図１３は多層膜の透過率を示し、図１４は第１の赤外線吸収フィルターと多層膜と第２の赤外線吸収フィルターの合成における透過率を示している。
【０１３５】
撮像光学系Ｂにあっては、図１１及び図１２に示す第１の赤外線吸収フィルターと第２の赤外線吸収フィルターの近赤外領域における透過率がこれより短波長側の透過率に比して低くされており、近赤外領域における光の良好な吸収作用を有している。また、図１３に示す多層膜の透過率において波長６５０ｎｍ乃至７００ｎｍの領域の透過率が急激に変化し、図１４に示す合成の透過率において波長５５０ｎｍ乃至７００ｎｍの領域の透過率が緩やかに変化している。
【０１３６】
従って、画像及び映像の生成に有害な近赤外領域の光の成分が吸収されて有害な光の成分の撮像素子への入射が低減されると共に画像及び映像の生成に必要な光の成分が撮像素子に入射され、高画質化を図ることができる。
【０１３７】
図１５乃至図１８は、撮像光学系Ｃにおける分光透過特性を示すグラフ図である。図１５は第１の赤外線吸収フィルターの透過率を示し、図１６は第２の赤外線吸収フィルターの透過率を示し、図１７は多層膜の透過率を示し、図１８は第１の赤外線吸収フィルターと多層膜と第２の赤外線吸収フィルターの合成における透過率を示している。
【０１３８】
撮像光学系Ｃにあっては、図１５及び図１６に示す第１の赤外線吸収フィルターと第２の赤外線吸収フィルターの近赤外領域における透過率がこれより短波長側の透過率に比して低くされており、近赤外領域における光の良好な吸収作用を有している。また、図１７に示す多層膜の透過率において波長６５０ｎｍ乃至７００ｎｍの領域の透過率が急激に変化し、図１８に示す合成の透過率において波長５５０ｎｍ乃至７００ｎｍの領域の透過率が緩やかに変化している。
【０１３９】
従って、画像及び映像の生成に有害な近赤外領域の光の成分が吸収されて有害な光の成分の撮像素子への入射が低減されると共に画像及び映像の生成に必要な光の成分が撮像素子に入射され、高画質化を図ることができる。
【０１４０】
［撮像装置の構成］
以下に、本発明撮像装置について説明する。
【０１４１】
本発明撮像装置は、撮像光学系と該撮像光学系によって形成された光学像を電気的信号に変換する撮像素子とを備えている。
【０１４２】
本発明撮像装置は、撮像光学系が、光路上に少なくとも１枚のレンズが配置され、フィルム状の樹脂材料によって形成された第１の赤外線吸収フィルターと赤外線吸収作用を有する多層膜とフィルム状の樹脂材料によって形成された第２の赤外線吸収フィルターとが光路上において物体側から像側へ順に配置され、多層膜が分光特性の調整機能と反射特性を有している。
【０１４３】
このように撮像装置を構成することにより、上記したように、第１の赤外線吸収フィルター、多層膜及び第２の赤外線吸収フィルターによって画像及び映像の生成に有害な光の成分が吸収され、撮像素子に画像及び映像の生成に必要な光の成分が入射される。
【０１４４】
本発明撮像装置は、撮像光学系が、以下の条件式（１）乃至条件式（４）を満足するようにされている。
（１）０.８４＜Ｒ１／Ｒ２＜１.２ 
（２）０.８＜λ１／λ２＜１.２５
（３）Ｔ２／Ｔ１＜１.０      
（４）Ｔ３／Ｔ４＜０.０５
但し、
Ｒ１：第１の赤外線吸収フィルターを物体側から透過して多層膜で反射し第１の赤外線吸収フィルターを像側から透過する光の波長６８０乃至７８０ｎｍにおける多層膜の平均反射率
Ｒ２：第２の赤外線吸収フィルターを像側から透過して多層膜で反射し第２の赤外線吸収フィルターを物体側から透過する光の波長６８０乃至７８０ｎｍにおける多層膜の平均反射率
λ１：第１の赤外線吸収フィルターにおける波長５５０ｎｍ以上の光の透過率が７０％になる波長の値
λ２：第２の赤外線吸収フィルターにおける波長５５０ｎｍ以上の光の透過率が７０％になる波長の値
Ｔ１：第１の赤外線吸収フィルターと第２の赤外線吸収フィルターの合成における波長７００乃至７２５ｎｍの光の平均透過率
Ｔ２：多層膜における波長７００乃至７２５ｎｍの光の平均透過率
Ｔ３：第１の赤外線吸収フィルターと多層膜と第２の赤外線吸収フィルターの合成における波長７００ｎｍの光の透過率
Ｔ４：第１の赤外線吸収フィルターと多層膜と第２の赤外線吸収フィルターの合成における波長５４０ｎｍの光の透過率
とする。
【０１４５】
条件式（１）は、多層膜の両面における反射率のバランスを規定する式である。また、条件式（２）は第１の赤外線吸収フィルターと第２の赤外線吸収フィルターの吸収率のバランスを規定する式である。
【０１４６】
条件式（１）又は条件式（２）の何れかの上限を超えると、多層膜で第１の赤外線吸収フィルター側に反射した光のうち波長６８０乃至７８０ｎｍ付近の有害な近赤外光の光量が増えてしまう。
【０１４７】
逆に、条件式（１）又は条件式（２）の何れかの下限を超えると、多層膜で第２の赤外線吸収フィルター側に反射した光のうち波長６８０乃至７８０ｎｍ付近の有害な近赤外光の光量が増えてしまう。
【０１４８】
このように条件式（１）又は条件式（２）の何れかの上限又は下限を超えることにより、多層膜の物体側と像側における有害な近赤外光の光量のバランスが崩れ、迷光が強調されて画質の劣化が生じてしまう。
【０１４９】
従って、撮像装置は、撮像光学系が条件式（１）及び条件式（２）を満足することにより、多層膜の物体側と像側における有害な近赤外光の光量のバランスが均衡し、画質の向上を図ることができる。
【０１５０】
条件式（３）は、波長７００ｎｍ乃至７２５ｎｍの光の第１の赤外線吸収フィルターと第２の赤外線吸収フィルターの合成における平均透過率と多層膜の平均透過率との関係を規定する式である。尚、第１の赤外線吸収フィルターと第２の赤外線吸収フィルターの合成における光の平均透過率とは、第１の赤外線吸収フィルターと第２の赤外線吸収フィルターの双方を透過したときの光の平均透過率である。
【０１５１】
条件式（３）の上限を超えると、多層膜で反射される波長７００ｎｍ乃至７２５ｎｍの有害な光を第１の赤外線吸収フィルターで吸収することが困難となり、撮像素子に入射する有害な光の光量を低減することができなくなる。
【０１５２】
従って、撮像装置は、撮像光学系が条件式（３）を満足することにより、多層膜で反射される波長７００ｎｍ乃至７２５ｎｍの有害な光の第１の赤外線吸収フィルターでの吸収量を増加させることができ、撮像素子に入射する有害な光を低減することができる。
【０１５３】
条件式（４）は、第１の赤外線吸収フィルターと多層膜と第２の赤外線吸収フィルターの合成における透過率に関する式である。尚、第１の赤外線吸収フィルターと多層膜と第２の赤外線吸収フィルターの合成における光の透過率とは、第１の赤外線吸収フィルターと多層膜と第２の赤外線吸収フィルターの全てを透過したときの光の透過率である。
【０１５４】
条件式（４）の上限をＴ４の値が低くなることにより超えると、波長５４０ｎｍ乃至７００ｎｍの必要な光量を十分に確保することが困難となってしまう。
【０１５５】
一方、条件式（４）の上限をＴ３の値が高くなることにより超えると、有害な近赤外光の光量が増えて迷光が強調され画質が劣化してしまう。このとき撮像素子の信号処理による調整等によって画質の劣化を補正しようとすると、目視では認識できない赤外領域の光が強調されてしまい、最適な色再現性を確保することが困難となってしまう。
【０１５６】
従って、撮像装置は、撮像光学系が条件式（４）を満足することにより、波長５４０ｎｍ乃至７００ｎｍの必要な光量を十分に確保することができると共に有害な近赤外光の光量を低減することができ、高画質化を図ることができる。
【０１５７】
以上に記載した通り、本発明撮像装置にあっては、撮像光学系が、第１の赤外線吸収フィルターと第２の赤外線吸収フィルターの間に分光特性の調整機能を有する多層膜を配置し、条件式（１）乃至条件式（４）を満足するようにされている。
【０１５８】
従って、第１の赤外線吸収フィルターと多層膜と第２の赤外線吸収フィルターによって画像及び映像の生成に有害な光の成分が吸収されて有害な光の成分の撮像素子への入射が低減され、高画質化を図ることができる。
【０１５９】
また、画像及び映像の生成に有害な光の成分は第１の赤外線吸収フィルターと第２の赤外線吸収フィルターの物体側及び像側に配置される部品によって分光特性や輝度が異なる。
【０１６０】
従って、これらの部品による有害な光の成分の分光特性や輝度に応じて第１の赤外線吸収フィルターと第２の赤外線吸収フィルターの分光特性を定めることにより、分光特性の最適化を図ることが可能となる。
【０１６１】
さらに、第１の赤外線吸収フィルターと多層膜と第２の赤外線吸収フィルターは合成における特性として波長４００ｎｍ乃至１２００ｎｍに吸収特性と反射特性を有しているため、撮像素子に入射する光の分光強度バランス、例えば、青色領域、緑色領域、赤色領域の光強度バランスを最適に調整することが可能となる。
【０１６２】
従って、画像及び映像のホワイトバランス調整や色再現を良好に行うことが可能となる上、過度な電気的色調整を行うことによる色ノイズの発生も除去することが可能となり、画像及び映像における色調整を最適化する透過光特性を確保することが可能となる。
【０１６３】
尚、撮像光学系及びこれを備えた撮像装置の小型化を図ろうとしたときには、入射光線の透過率（反射率）が所定の波長領域で急激に変化したり、撮像素子に入射する迷光が増加し易くなる。
【０１６４】
しかしながら、このような小型化を図ったときにおいても、条件式（１）乃至条件式（４）を満足するように撮像装置及び撮像光学系を構成することにより、迷光の増加を効果的に抑制することができると共に画像及び映像の色再現性の向上をも図ることが可能となるため、画質の大幅な向上を図ることができる。
【０１６５】
［撮像装置の一実施形態］
図１９に、本発明撮像装置の一実施形態によるデジタルスチルカメラのブロック図を示す。
【０１６６】
撮像装置（デジタルスチルカメラ）１００は、撮像機能を担うカメラブロック１０と、撮影された画像信号のアナログ−デジタル変換等の信号処理を行うカメラ信号処理部２０と、画像信号の記録再生処理を行う画像処理部３０とを有している。また、撮像装置１００は、撮影された画像等を表示するＬＣＤ（Liquid Crystal Display）４０と、メモリーカード１０００への画像信号の書込及び読出を行うＲ／Ｗ（リーダ／ライタ）５０と、撮像装置の全体を制御するＣＰＵ（Central Processing Unit）６０とを有している。さらに、撮像装置１００は、ユーザーによって所要の操作が行われる各種のスイッチ等から成る入力部７０と、カメラブロック１０に配置されたレンズの駆動を制御するレンズ駆動制御部８０とを備えている。
【０１６７】
カメラブロック１０は、撮像光学系１１（本発明が適用される撮像光学系Ａ、Ｂ、Ｃ）を含む光学系や、ＣＣＤ（Charge Coupled Device）やＣＭＯＳ（Complementary Metal-Oxide Semiconductor）等の撮像素子１２等とによって構成されている。
【０１６８】
カメラ信号処理部２０は、撮像素子１２からの出力信号に対するデジタル信号への変換、ノイズ除去、画質補正、輝度・色差信号への変換等の各種の信号処理を行う。
【０１６９】
画像処理部３０は、所定の画像データフォーマットに基づく画像信号の圧縮符号化・伸張復号化処理や解像度等のデータ仕様の変換処理等を行う。
【０１７０】
ＬＣＤ４０はユーザーの入力部７０に対する操作状態や撮影した画像等の各種のデータを表示する機能を有している。
【０１７１】
Ｒ／Ｗ５０は、画像処理部３０によって符号化された画像データのメモリーカード１０００への書込及びメモリーカード１０００に記録された画像データの読出を行う。
【０１７２】
ＣＰＵ６０は、撮像装置１００に設けられた各回路ブロックを制御する制御処理部として機能し、入力部７０からの指示入力信号等に基づいて各回路ブロックを制御する。
【０１７３】
入力部７０は、例えば、シャッター操作を行うためのシャッターレリーズボタンや、動作モードを選択するための選択スイッチ等によって構成され、ユーザーによる操作に応じた指示入力信号をＣＰＵ６０に対して出力する。
【０１７４】
レンズ駆動制御部８０は、ＣＰＵ６０からの制御信号に基づいて撮像光学系１１の各レンズを駆動する図示しないモータ等を制御する。
【０１７５】
メモリーカード１０００は、例えば、Ｒ／Ｗ５０に接続されたスロットに対して着脱可能な半導体メモリーである。
【０１７６】
以下に、撮像装置１００における動作を説明する。
【０１７７】
撮影の待機状態では、ＣＰＵ６０による制御の下で、カメラブロック１０において撮影された画像信号が、カメラ信号処理部２０を介してＬＣＤ４０に出力され、カメラスルー画像として表示される。また、入力部７０からのズーミングのための指示入力信号が入力されると、ＣＰＵ６０がレンズ駆動制御部８０に制御信号を出力し、レンズ駆動制御部８０の制御に基づいて撮像光学系１１の所定のレンズが移動される。
【０１７８】
入力部７０からの指示入力信号によりカメラブロック１０の図示しないシャッターが動作されると、撮影された画像信号がカメラ信号処理部２０から画像処理部３０に出力されて圧縮符号化処理され、所定のデータフォーマットのデジタルデータに変換される。変換されたデータはＲ／Ｗ５０に出力され、メモリーカード１０００に書き込まれる。
【０１７９】
尚、フォーカシングは、例えば、入力部５０のシャッターレリーズボタンが半押しされた場合や記録（撮影）のために全押しされた場合等に、ＣＰＵ６０からの制御信号に基づいてレンズ駆動制御部８０が撮像光学系１１の所定のレンズを移動させることにより行われる。
【０１８０】
メモリーカード１０００に記録された画像データを再生する場合には、入力部７０に対する操作に応じて、Ｒ／Ｗ５０によってメモリーカード１０００から所定の画像データが読み出され、画像処理部３０によって伸張復号化処理が行われた後、再生画像信号がＬＣＤ４０に出力されて再生画像が表示される。
【０１８１】
尚、上記した実施の形態においては、撮像装置をデジタルスチルカメラに適用した例を示したが、撮像装置の適用範囲はデジタルスチルカメラに限られることはなく、デジタルビデオカメラ、カメラが組み込まれた携帯電話、カメラが組み込まれたＰＤＡ（Personal Digital Assistant）等のデジタル入出力機器のカメラ部等として広く適用することができる。
【０１８２】
上記した各実施の形態において示した各部の形状及び数値は、何れも本発明を実施するための具体化のほんの一例に過ぎず、これらによって本発明の技術的範囲が限定的に解釈されることがあってはならないものである。
【図面の簡単な説明】
【０１８３】
【図１】図２と共に本発明撮像光学系の概念を説明するためのものであり、本図は、撮像光学系全体の光路を示す概念図である。
【図２】撮像素子で反射された光の経路を示す概念図である。
【図３】図４乃至図６と共に第１の赤外線吸収フィルターと多層膜と第２の赤外線吸収フィルターの構成例を示すものであり、本図は、第１の構成例を示す模式図である。
【図４】第２の構成例を示す模式図である。
【図５】第３の構成例を示す模式図である。
【図６】第４の構成例を示す模式図である。
【図７】図８乃至図１０と共に第１の実施の形態に係る撮像光学系の分光透過特性を示すものであり、本図は、第１の赤外線吸収フィルターの透過率を示すグラフ図である。
【図８】第２の赤外線吸収フィルターの透過率を示すグラフ図である。
【図９】多層膜の透過率を示すグラフ図である。
【図１０】第１の赤外線吸収フィルターと多層膜と第２の赤外線吸収フィルターの合成における透過率を示すグラフ図である。
【図１１】図１２乃至図１４と共に第２の実施の形態に係る撮像光学系の分光透過特性を示すものであり、本図は、第１の赤外線吸収フィルターの透過率を示すグラフ図である。
【図１２】第２の赤外線吸収フィルターの透過率を示すグラフ図である。
【図１３】多層膜の透過率を示すグラフ図である。
【図１４】第１の赤外線吸収フィルターと多層膜と第２の赤外線吸収フィルターの合成における透過率を示すグラフ図である。
【図１５】図１６乃至図１８と共に第３の実施の形態に係る撮像光学系の分光透過特性を示すものであり、本図は、第１の赤外線吸収フィルターの透過率を示すグラフ図である。
【図１６】第２の赤外線吸収フィルターの透過率を示すグラフ図である。
【図１７】多層膜の透過率を示すグラフ図である。
【図１８】第１の赤外線吸収フィルターと多層膜と第２の赤外線吸収フィルターの合成における透過率を示すグラフ図である。
【図１９】本発明撮像装置の一実施形態を示すブロック図である。
【符号の説明】
【０１８４】
１…撮像光学系、２…レンズ、３…第１の赤外線吸収フィルター、４…多層膜、５…第２の赤外線吸収フィルター、６…撮像素子、８…ガラス基板、１１…第１の空気層、１２…第２の空気層、１３…空気層
【図１】
2011075984.tif 000004
【図２】
2011075984.tif 000005
【図３】
2011075984.tif 000006
【図４】
2011075984.tif 000007
【図５】
2011075984.tif 000008
【図６】
2011075984.tif 000009
【図７】
2011075984.tif 000010
【図８】
2011075984.tif 000011
【図９】
2011075984.tif 000012
【図１０】
2011075984.tif 000013
【図１１】
2011075984.tif 000014
【図１２】
2011075984.tif 000015
【図１３】
2011075984.tif 000016
【図１４】
2011075984.tif 000017
【図１５】
2011075984.tif 000018
【図１６】
2011075984.tif 000019
【図１７】
2011075984.tif 000020
【図１８】
2011075984.tif 000021
【図１９】
2011075984.tif 000022